(57)【要約】【課題】什器を安定的に設置すると共に、美観性を損なわずに配線を敷設することができるベース部材を提供すること。【解決手段】本発明に係るベース部材は、床面に設置されるベース部材であって、前記床面に設置される第１フレームと、前記第１フレームの上方に配置された第２フレームと、前記第２フレームに取り付けられ、長さが調整自在な複数の脚部と、少なくとも前記第１フレームの前側に設けられ、前記床面から立ち上がるように形成された下部遮蔽板と、前記第２フレームの周囲において垂下するように形成された上部遮蔽板と、を備え、前記上部遮蔽板は、少なくとも前記第２フレームの前側において前記下部遮蔽板に重なるように設けられると共に、前記第２フレームの前側から見て前記第２フレームの両側のうち少なくとも片側において前記前側に直交する奥行方向に設けられ、下側に配線を挿通するための切欠き部が形成されている。【選択図】図１
2020068997.tif 000002
【特許請求の範囲】
【請求項１】
床面に設置されるベース部材であって、
前記床面に設置される第１フレームと、
前記第１フレームの上方に配置された第２フレームと、
前記第２フレームに取り付けられ、長さが調整自在な複数の脚部と、
少なくとも前記第１フレームの前側に設けられ、前記床面から立ち上がるように形成された下部遮蔽板と、
前記第２フレームの周囲において垂下するように形成された上部遮蔽板と、を備え、
前記上部遮蔽板は、少なくとも前記第２フレームの前側において前記下部遮蔽板に重なるように設けられると共に、前記第２フレームの前側から見て前記第２フレームの両側のうち少なくとも片側において前記前側に直交する奥行方向に設けられ、下側に配線を挿通するための切欠き部が形成されていることを特徴とする、ベース部材。
【請求項２】
前記第２フレームの両側のうち少なくとも片側において前記上部遮蔽板に隣接して鉛直方向に摺動自在に設けられ、前記切欠き部を閉塞する端部材を更に備える、
請求項１に記載のベース部材。
【請求項３】
前記端部材は、前記第２フレームの高さが変化した際に自然落下により下部が床面に当接するように前記上部遮蔽板と前記第２フレームとに挟持されている、
請求項２に記載のベース部材。
【請求項４】
前記端部材は、前記脚部に係止される係止片を備え、前記係止片は、前記第１フレームと前記脚部に鉛直方向に挟持されるように形成されている、
請求項２に記載のベース部材。
【発明の詳細な説明】
【技術分野】
【０００１】
本発明は、床面に設置されると共に、上方に什器が設置されるベース部材に関する。
【背景技術】
【０００２】
什器を床面に設置する際、床面が水平となっているとは限らず、不陸が生じている場合がある。このような床面に什器を設置すると、不安定となったり什器に歪が生じたりする虞がある。そのため、什器を床面に設置する際に、什器の下側に伸縮自在な脚を備えたベース部材が用いられている（例えば、特許文献１参照）。このようなベース部材を用いることにより、床面が水平でなく不陸があった場合でも、それぞれの脚の長さを床面の形状に合わせて調整することで什器を水平に設置することができる。しかし、脚の長さを調整して什器を床面に設置した際に、床面と什器の底面との間に隙間が生じて美観が損なわれる場合がある。
【０００３】
そこで、ベース部材を床面に設置する下部遮蔽板と伸縮脚の上部に接続される上部遮蔽板との二重構造にして、伸縮脚を伸ばしても隙間が外部から見えないようにした構造も知られている（特許文献２参照）。
【先行技術文献】
【特許文献】
【０００４】
【特許文献１】特開２０００−０５０９８５号公報
【特許文献２】実開昭６３−７５２４７号公報
【発明の概要】
【発明が解決しようとする課題】
【０００５】
しかしながら、このようなベース部材を用いて什器を壁面に沿って設置すると、什器に電子機器を収容して配線を敷設する際に、什器の両側において見栄え良く配線を敷設することが困難な場合がある。什器の上方あるいは前方に配線を敷設する場合は、モールで配線を隠すことがある。しかし、モールを用いて配線を敷設すると、モールの存在により見栄えが悪くなっていた。什器の後ろに配線を通す場合は、配線を通す領域を確保するために、什器と壁面との間に隙間を設けて什器を設置する。そのため、什器と壁面との間に生じる隙間により見栄えが悪化すると共に、安定性が低下していた。
【０００６】
そこで、本発明は、什器を安定的に設置すると共に、美観性を損なわずに配線を敷設することができるベース部材を提供することを目的としている。
【課題を解決するための手段】
【０００７】
上記目的を達成するため、本発明に係るベース部材は、床面に設置されるベース部材であって、前記床面に設置される第１フレームと、前記第１フレームの上方に配置された第２フレームと、前記第２フレームに取り付けられ、長さが調整自在な複数の脚部と、少なくとも前記第１フレームの前側に設けられ、前記床面から立ち上がるように形成された下部遮蔽板と、前記第２フレームの周囲において垂下するように形成された上部遮蔽板と、を備え、前記上部遮蔽板は、少なくとも前記第２フレームの前側において前記下部遮蔽板に重なるように設けられると共に、前記第２フレームの前側から見て前記第２フレームの両側のうち少なくとも片側において前記前側に直交する奥行方向に設けられ、下側に配線を挿通するための切欠き部が形成されていることを特徴とする。
【０００８】
このようなベース部材によれば、複数の脚部の長さを調整して床面の不陸に合わせてベース部材の高さを調整することを可能とすると共に、下部遮蔽板と上部遮蔽板とが協働して床面とベース部材との間に生じる隙間を遮蔽してベース部材の上に載置された什器の美観性を向上させることができる。
【０００９】
上記ベース部材は、前記第２フレームの左右両側のうち少なくとも片側において前記上部遮蔽板に隣接して鉛直方向に摺動自在に設けられ、前記切欠き部を閉塞する端部材を更に備えるように構成されていてもよい。
【００１０】
このようなベース部材によれば、左右の上部遮蔽板の切欠き部により形成された開口が端部材で遮蔽されて什器の美観性を向上させることができる。
【００１１】
上記ベース部材は、前記端部材は、前記第２フレームの高さが変化した際に自然落下により下部が床面に当接するように前記上部遮蔽板と前記第２フレームとに挟持されていてもよい。
【００１２】
このようなベース部材によれば、第２フレームの高さが変化しても端部材が自然落下して下部が床面に当接しているので、左右の上部遮蔽板の切欠き部により形成された開口が端部材で遮蔽されて什器の美観性を向上させることができる。
【００１３】
上記ベース部材は、前記端部材は、前記脚部に係止される係止片を備え、前記係止片は、前記第１フレームと前記脚部に鉛直方向に挟持されるように形成されていてもよい。
【００１４】
このようなベース部材によれば、端部材に形成された係止片により、端部材が第１フレーム上で脚部に上方から押圧され、端部材と床面との間の隙間が無くなると共に、左右の上部遮蔽板の切欠き部により形成された開口が端部材で遮蔽されて什器の美観性を向上させることができる。
【発明の効果】
【００１５】
本発明に係るベース部材によれば、什器を安定的に設置すると共に、美観性を損なわずに配線を敷設することができる。
【図面の簡単な説明】
【００１６】
【図１】本発明の実施形態に係るベース部材の構成を示す斜視図である。
【図２】ベース部材の構成を示す分解斜視図である。
【図３】第２フレームの構成を示す分解斜視図である。
【図４】第２フレームの高さの調整の状態を示す断面図である。
【図５】ベース部材に配線を敷設する状態を示す図である。
【図６】上部遮蔽板に端部材を取り付ける状態を示す分解斜視図である。
【図７】高さが変化した第２フレームにおける端部材の状態を示す断面図である。
【図８】上部遮蔽板に他の端部材を取り付ける状態を示す分解斜視図である。
【発明を実施するための形態】
【００１７】
以下、図面を参照しつつ、本発明の実施形態に係るベース部材について説明する。ベース部材は、什器を安定的に床面に設置させつつも、美観性を損なわずに配線を敷設することを可能とする部材である。以下、図において、ｙ軸方向を前後方向とし、ｘ軸方向を横方向として説明する。
【００１８】
図１から図３に示されるように、ベース部材１は、床面に設置される第１フレーム２と、第１フレーム２に載置される第２フレーム１０とを備える。
【００１９】
第１フレーム２は、例えば、床面に載置される底板２Ａを備える。底板２Ａは、矩形の枠状に形成された板状体である。底板２Ａは、例えば、金属板を切断することにより形成されている。底板２Ａは、矩形の板状体から更にサイズが小さい矩形の板状体が切り出され、矩形の肉抜部３が形成されている。これにより、底板２Ａは、枠状に形成され、長手の一対の枠部２Ｂと、短手の一対の枠部２Ｃとが形成されている。
【００２０】
底板２Ａには、一対の補強部材４が設けられている。一対の補強部材４は、横方向に平行に対向する一対の枠部２Ｂに直交する方向（図のｙ軸方向）に架橋するように配置されている（図２参照）。一対の補強部材４は、前後方向に平行に対向する一対の枠部２Ｃに平行に配置されている。
【００２１】
補強部材４は、例えば、金属板が折り曲げられることにより、正面（ｙ軸方向）から見た断面がハット形になるように形成されている。これにより、補強部材４は、底部に相当する部分に床面に略平行なフランジ部４Ａが形成されている。底板２Ａと補強部材４とは、例えば、フランジ部４Ａと底板２Ａの接触部分Ｃにおいてスポット溶接等を用いて接合されている。
【００２２】
短手の一対の枠部２Ｃの上には、第２フレーム１０に取り付けられた複数の脚部が載置される。一対の枠部２Ｃには、後述のように複数の脚部Ｇの台座部Ｇ２から什器の荷重が下方に伝達される。底板２Ａは、このような構成により、床面に設置された後、上部に什器（不図示）が載置された際に撓んで床面の形状に馴染む。
【００２３】
一対の枠部２Ｂの長辺２Ｄにおいて、帯状の下部遮蔽板５が立設されている。底板２Ａの長辺は、上述のように什器が載置された状態では、床面に馴染んで接している。そのため、下部遮蔽板５は、什器が載置された状態で略床面から上方に立ち上がるように形成されている。下部遮蔽板５は、少なくとも前側に一つ設けられている。
【００２４】
次に、第２フレーム１０について説明する。第２フレーム１０は、第１フレーム２上で什器を支持する。第２フレーム１０は、上部遮蔽板１５を支持するための支持フレーム１１と、複数の脚部Ｇが取り付けられると共に什器を支持するための一対の脚支持部１４とを備える。脚支持部１４には、例えば、支持フレーム１１がスポット溶接等を用いて接合されている。
【００２５】
脚支持部１４は、例えば、金属板を折り曲げて、前側から見てＳ字が倒置した断面形状に形成された部材である。脚支持部１４は、例えば、前側から見てＵ字断面のレール状部材１４Ａと、レール状部材１４Ａに隣接した逆Ｕ字断面のレール状部材１４Ｂとが連結されて形成されている。レール状部材１４Ａは、例えば、２つの脚部Ｇを備える。レール状部材１４Ａの底面には、脚部Ｇ用の雌ネジ穴１４Ａ１が形成されている。
【００２６】
レール状部材１４Ｂの頂面には、什器を連結するためのビス穴１４Ｂ１が適宜設けられる。ビス穴１４Ｂ１は、横方向から見て雌ネジ穴１４Ａ１の鉛直線上に配置されるよう形成されている。レール状部材１４Ａとレール状部材１４Ｂとは、例えば、ボルト及びナットを用いて連結されている。ボルト穴は、レール状部材１４Ａとレール状部材１４Ｂとが接触するそれぞれの側板に設けられている。
【００２７】
脚支持部１４においてボルト穴は、横方向からみて一つの脚部Ｇに対して両側の位置に２個配置されるように合計４個形成されている。これにより、脚部Ｇから伝達される下側からの荷重と、什器から伝達される上側からの荷重に対して必要な剛性を確保して、脚支持部１４が座屈することが防止される。脚支持部１４には、第２フレーム１０に載置された什器の荷重を支持する複数の脚部Ｇが取り付けられる。
【００２８】
脚部Ｇは、雄ネジの溝が形成された棒状のネジ部Ｇ１と、ネジ部Ｇ１の下部に設けられ、床面に接触する逆皿状の台座部Ｇ２とを備える。脚部Ｇは、雌ネジ穴１４Ａ１に螺入される。溝Ｇ３に脚部Ｇを螺入することにより、脚部Ｇは、長さが調整自在に脚支持部１４に取り付けられる。
【００２９】
ネジ部Ｇ１の先端には、溝Ｇ３が形成されている。溝Ｇ３にマイナスドライバー等の工具の先端を嵌め込み、脚部Ｇを回転させることで、支持フレーム１１の上側から支持フレーム１１の下面からの突出量を変更し、脚部Ｇの長さを調整することができる。脚支持部１４には、支持フレーム１１が取り付けられる。支持フレーム１１は、例えば、金属板を折り曲げて形成された複数の部材等により構成されている。
【００３０】
支持フレーム１１は、例えば、平面視で矩形の枠状に形成されている（図２参照）。支持フレーム１１は、横方向に平行に配置された一対の横杆１２と、一対の横杆１２に連結され、前後方向に平行に配置された一対の連結部材１３とを備える。支持フレーム１１は、一対の脚支持部１４の位置関係を保持すると共に、上部遮蔽板１５を支持する。一対の横杆１２は、一対の脚支持部１４により架橋され、スポット溶接等により接合されている。
【００３１】
横杆１２は、横方向から見て断面が矩形のパイプ状の部材である（図３参照）。一対の横杆１２の両端部には、横杆１２と直交する一対の連結部材１３が連結される。横杆１２の先端部の上面に連結部材１３の先端部の下面が接触し、接触部において、例えば、横杆１２と連結部材１３とがスポット溶接により接合される。横杆１２と連結部材１３とにより矩形の支持フレーム１１が形成される。横杆１２は、第２フレーム１０が第１フレーム２の上に載置された際に、第１フレーム２の下部遮蔽板５に隣接する（図２参照）。
【００３２】
支持フレーム１１の周囲には、第２フレーム１０を覆うための上部遮蔽板１５が延在するように取り付けられている。上部遮蔽板１５は、横杆１２を覆う第１上部遮蔽板１６と、連結部材１３を覆う第２上部遮蔽板１７とを備える。上部遮蔽板１５は、少なくとも支持フレーム１１の前側を覆うように設けられる。第１上部遮蔽板１６は、支持フレーム１１に垂下するように形成されている。
【００３３】
第１上部遮蔽板１６は、例えば、逆Ｌ字断面形状に形成されている。第１上部遮蔽板１６は、帯状の頂板１６Ａと、頂板１６Ａの前縁から垂下した帯状の側板１６Ｂとを備える。頂板１６Ａは、連結部材１３及び脚支持部１４の端部の上側に引っ掛けられるようにスポット溶接等を用いて固定されている。側板１６Ｂは、例えば、横杆１２の前側あるいは後ろ側から見て横杆１２、連結部材１３、脚支持部１４を覆う寸法で形成されている。側板１６Ｂは、例えば、下端の位置が横杆１２の下面の位置と略同じ長さで形成されている。
【００３４】
図４に示されるように、第１上部遮蔽板１６は、第２フレーム１０が第１フレーム２に載置された際に、下部遮蔽板５と協働して、床面と第２フレーム１０との間の隙間が什器の外部から視認できないように覆い隠す。そして、複数の脚部Ｇの長さが調整されて什器が最も低い状態となった場合、下部遮蔽板５と第１上部遮蔽板１６とは、前後方向から見て互いに重なった状態となる。
【００３５】
複数の脚部Ｇの長さが伸長された際には、第２フレーム１０は上方に上昇する。第２フレーム１０の上昇に伴って、第１上部遮蔽板１６と下部遮蔽板５との重なり量は減少する。複数の脚部Ｇの第２フレーム１０の下方からの突出量が後述の調整範囲以内である場合、即ち、第２フレーム１０の上昇量が第１上部遮蔽板１６と下部遮蔽板５との鉛直方向の重なり幅よりも小さい場合には、床面と第２フレーム１０との間に隙間は生じない。
【００３６】
調整範囲とは、第２フレーム１０が略最も低い位置に設置された状態における第１上部遮蔽板１６と下部遮蔽板５との重なり量である。また、床面に不陸があり、第１フレーム２が床面の形状に馴染んで変形している場合でも、第１上部遮蔽板１６と下部遮蔽板５とが重なっている限りは、床面と第２フレーム１０との間に隙間は生じない。第２フレーム１０の横方向の両側面には、第２上部遮蔽板１７が取り付けられる。第２上部遮蔽板１７は、例えば、連結部材１３の外方の側面にネジＳを用いて固定されている。
【００３７】
第２上部遮蔽板１７は、側面方向から見て、床面と第２フレーム１０との間の隙間を見えにくくする。第２上部遮蔽板１７は、少なくとも第２フレーム１０の右側または左側のうち、少なくとも一方の側に設けられている。即ち、第２上部遮蔽板１７は、第２フレーム１０の前側から見て第２フレーム１０の両側のうち少なくとも片側において前側に直交する奥行方向に設けられている。
【００３８】
また、第２上部遮蔽板１７の下部には、矩形の切欠き部１８が形成されている（図１〜図３参照）。切欠き部１８は、ベース部材１が床面に設置された際に、ケーブル類（配線）を横方向に挿通するための開口として形成されている。
【００３９】
図５に示されるように、切欠き部１８が形成されていることにより、ベース部材１の上方に什器Ｊが載置された状態で、什器Ｊに収納された電子機器ＥのケーブルＫは、ベース部材１を経由してベース部材１の側方に引き出されることを可能とする。他の什器が隣接された状態でも、切欠き部１８が形成されていることにより、ケーブル類を隣接するベース部材１の中に引き込むことができる。
【００４０】
上述したベース部材１によれば、什器を設置する場合、ベース部材１を什器の下に設置することで高さを調整可能としつつも床面とベース部材１との間の隙間が外部から視認できないように遮蔽し、什器の美観性を向上させることができる。また、ベース部材１によれば、切欠き部１８を通して配線を通すことが可能となるため、配線を左右の什器の間に敷設する際に、配線を外側から視認できないように遮蔽することができ、什器の美観性を向上させることができる。また、ベース部材１には、左右に第２上部遮蔽板１７があるため、配線を通す部分以外は遮蔽されており、左右側から見た什器の美観性を向上させることができる。
【００４１】
また、ベース部材１によれば、伸縮自在な脚部Ｇを最も短くして上部遮蔽板１５の下端が床面に非常に接近する場合においても、配線を切欠き部１８に通して敷設することが可能であるため、配線にダメージを与える虞が無い。さらに、ベース部材１によれば、切欠き部１８が設けられていることにより、什器を横方向に複数個連結する場合は、隣接したベース部材１の横方向に配線を敷設することができ、什器の美観性を向上させることができる。
【００４２】
［変形例］
図６に示されるように、ベース部材１において、配線が必要でない場合には、第２上部遮蔽板１７の切欠き部１８を閉塞するエンドカバー２０（端部材）が設けられていてもよい。
【００４３】
エンドカバー２０は、例えば、第２上部遮蔽板１７と第２フレーム１０の間に配置されている。エンドカバー２０は、鉛直方向に摺動自在に第２上部遮蔽板１７と連結部材１３とに挟持されている。エンドカバー２０には、ネジＳが相対的に摺動自在とする鉛直方向に長い長孔２１が設けられている。
【００４４】
図７に示されるように、第２上部遮蔽板１７の上端部は折り曲げられており、ネジＳで第２上部遮蔽板１７が連結部材１３にネジＳで取り付けられた際のエンドカバー２０が摺動する隙間が確保される。第２上部遮蔽板１７と第２フレーム１０の間には、適宜ワッシャー等のスペーサーを用いて隙間の幅が調整される。エンドカバー２０は、第２フレーム１０の高さが変化した際に自然落下により下部が床面に当接する。エンドカバー２０は、第２フレーム１０の高さが変化した際にネジＳが締め込まれて固定されるようにしてもよい。
【００４５】
図８に示されるように、他のエンドカバー３０は、脚部Ｇに係止されるものであってもよい。エンドカバー３０は、例えば、係止片３３により脚部Ｇに固定される。エンドカバー３０は、底板３１と、底板３１の外側の側面から立設された端面板３２とを備える。底板３１には、脚部Ｇに脚部Ｇに係止される係止片３３が形成されている。係止片３３は、例えば、底板３１から切り出され、折り曲げられることにより形成されている。
【００４６】
係止片３３は、底板３１から上方に立設された起立片３４と、起立片３４の先端から水平方向に延びた水平片３５とを備える。これにより、起立片３４は、断面が逆Ｌ字形に形成されている。水平片３５の先端部には、脚部Ｇのネジ部Ｇ１に当接する欠円アーチ形状の当接部３５Ａが形成されている。底板３１には、当接部３５Ａに対応する欠円形の切り残し片３１Ａが形成されている。
【００４７】
即ち、脚部Ｇにエンドカバー３０を係止した状態で第２フレーム１０を第１フレーム２上に載置すると、エンドカバー３０には、切り残し片３１Ａを介して脚部Ｇの台座部Ｇ２から第２フレーム１０上に載置された什器の荷重が伝達される。この状態で、切り残し片３１Ａは、脚部Ｇの台座部Ｇ２の下面と底板２Ａとに上下方向に挟持され、エンドカバー３０が固定される。
【００４８】
脚部Ｇの長さを調整した際もエンドカバー３０は、切り残し片３１Ａが脚部Ｇの台座部Ｇ２と底板２Ａとによって上下方向に挟持され、固定状態が維持される。この時、エンドカバー３０が第１フレーム２上で脚部Ｇに上方から押圧される。脚部Ｇの長さを調整して第２フレーム１０の高さが変化した場合でも、エンドカバー３０と床面との間の隙間が無くなると共に、左右の第２上部遮蔽板１７の切欠き部１８により形成された開口がエンドカバー３０で遮蔽されて什器の美観性を向上させることができる。
【００４９】
上述した変形例に係るベース部材１によれば、エンドカバー２０，３０により切欠き部１８が塞がれ、配線が不要な場合、什器の側面が第２上部遮蔽板１７の切欠き部１８により生じる開口が外部から視認される状態となることが防止され、美観性を向上させることができる。
【００５０】
そして、変形例に係るベース部材１によれば、左右方向で什器を連続的に設置する際、ベース部材の外側から内側へ配線を通す必要が無い場合（ベース部材１において配線を通したい場合）、最も外側の側面の第２上部遮蔽板１７にエンドカバー２０，３０を取り付けることで切欠き部１８により生じる開口を覆い隠すことができ、美観性を更に向上させることができる。
【００５１】
その他、本発明の趣旨に逸脱しない範囲で、前記実施形態における構成要素を周知の構成要素に置き換えることは適宜可能であり、また、上述した実施形態を適宜組み合わせ、または置換して構成してもよい。例えば、第２上部遮蔽板１７と連結部材１３とが一体で形成されていても良い。また、上述したエンドカバーは、例えば、金属板で形成されるのではなく、ゴム板等の可撓性を有する素材で形成し、切欠き部１８を閉塞しつつ、配線を可能とするようにしてもよい。
【符号の説明】
【００５２】
１…ベース部材、２…第１フレーム、２Ａ…底板、２Ｂ…枠部、２Ｃ…枠部、２Ｄ…長辺、３…肉抜部、４…補強部材、４Ａ…フランジ部、５…下部遮蔽板、１０…第２フレーム、１１…支持フレーム、１２…横杆、１３…連結部材、１４…脚支持部、１４Ａ…レール状部材、１４Ａ１…雌ネジ穴、１４Ｂ…レール状部材、１４Ｂ１…ビス穴、１５…上部遮蔽板、１６…第１上部遮蔽板、１６Ａ…頂板、１６Ｂ…側板、１７…第２上部遮蔽板、１８…切欠き部、２０…エンドカバー、２１…長孔、３０…エンドカバー、３１…底板、３１Ａ…切り残し片、３２…端面板、３３…係止片、３４…起立片、３５…水平片、３５Ａ…当接部、Ｃ…接触部分、Ｅ…電子機器、Ｇ…脚部、Ｇ１…ネジ部、Ｇ２…台座部、Ｇ３…溝、Ｊ…什器、Ｋ…ケーブル、Ｓ…ネジ
【図１】
2020068997.tif 000003
【図２】
2020068997.tif 000004
【図３】
2020068997.tif 000005
【図４】
2020068997.tif 000006
【図５】
2020068997.tif 000007
【図６】
2020068997.tif 000008
【図７】
2020068997.tif 000009
【図８】
2020068997.tif 000010